(57)【要約】【課題】肥料濃度を考慮し、肥料濃度に応じて適切な配合割合で高ＣＥＣ資材を含む培土を提供することを目的とする。【解決手段】ＣＥＣ値が５０meq/100ml以上の高ＣＥＣ資材を含み、培土（乾土）に添加される肥料の添加量をＡ（mg/L：アンモニア態窒素換算添加量）、前記高ＣＥＣ資材のＣＥＣ値をＢ(meq/100ml)とするとき、高ＣＥＣ資材は、培土１リットル（Ｌ）当たりの含有量Ｚ(ml/100ml：容量％)が次式を満たすように配合されている。    Ｚ＝α・０．７１Ａ／Ｂ  （式中、αは３〜５の自然数を表す）【選択図】なし【特許請求の範囲】
【請求項１】
ＣＥＣ値が５０meq/100ml以上の高ＣＥＣ資材を含む培土であって、培土（乾土）に添加される肥料の添加量をＡ（mg/L：アンモニア態窒素換算添加量）、前記高ＣＥＣ資材のＣＥＣ値をＢ(meq/100ml)とするとき、前記高ＣＥＣ資材は、培土１００ml当たりの含有量Ｚ(容量％)が次式を満たすように配合されていることを特徴とする培土。
Ｚ＝α・０．７１Ａ／Ｂ  （式中、αは３〜５の自然数を表す）
【請求項２】
請求項１記載の培土であって、前記高ＣＥＣ資材が、ゼオライト、バーミキュライトを含む粘土鉱物及び陽イオン交換樹脂から選ばれる１種または２種以上であることを特徴とする培土。
【請求項３】
請求項１又は２に記載の培土であって、前記高ＣＥＣ資材のほかに、有機質資材を含むことを特徴とする培土。
【請求項４】
請求項４記載の培土であって、前記有機質資材が、ココダスト、ピートモス、樹皮、モミガラ、炭および活性炭から選ばれる１種または２種以上であることを特徴とする培土。
【発明の詳細な説明】
【技術分野】
【０００１】
本発明は、培土に関し、特に園芸用に好適な培土に係る。
【背景技術】
【０００２】
一般に土壌がカルシウム、マグネシウム、カリウム、ナトリウム、アンモニア、水素などの陽イオンを吸着できる最大容量を陽イオン交換容量（ＣＥＣ）と呼び、土壌の保肥力を示す目安として用いられている。土壌の保肥力が小さい場合、培土の保管中に肥料成分が分解したり溶出し変化する、作物が肥焼けを起こすなどの問題を生じる。
【０００３】
ＣＥＣ値は、粘質土壌や腐植質土壌では大きく、砂質土壌では小さい。一方、土壌のもう一つの重要な性質である透水性は、粘質土壌や腐植質土壌では小さく、砂質土壌では大きい。従って各資材を配合して培土を製造する場合、ＣＥＣの高い資材と透水性の高い資材とを適宜組み合わせて両者のバランスの取れた培土を得ている。
【０００４】
例えば特許文献１には、珪藻土粉末と高ＣＥＣ資材である細粒ゼオライトとを組み合わせた育苗培土が提案されている。また本出願人によりゼオライトとピートモスとバーミキュライト等を組み合わせてＣＥＣを５０meq/100g以上にした培土が提案されている。
【特許文献１】特開２００６−２１７８１６号公報
【特許文献２】特許２７７３８１７号公報
【発明の開示】
【発明が解決しようとする課題】
【０００５】
上述したようにＣＥＣは、土壌の保肥力を示す指標であるが、ゼオライト等の高ＣＥＣ資材と他の資材とを配合して培土を製造する場合、試行錯誤によって適当な配合割合を決めなければならなかった。特に、培土が用いられる用途により用いられる肥料の種類や濃度が異なるが、高ＣＥＣ資材の配合に当たり、肥料濃度は考慮されていない。従って、ＣＥＣ適切な範囲となるように配合したとしても、肥料濃度によっては、依然として肥焼けや成分変化の問題を生じていた。
【０００６】
そこで本発明は、肥料濃度を考慮し、肥料濃度に応じて適切な配合割合で高ＣＥＣ資材を含む培土を提供することを目的とする。
【課題を解決するための手段】
【０００７】
すなわち本発明の培土は、ＣＥＣ値が５０meq/100ml以上の高ＣＥＣ資材を含む培土であって、培土（乾土）に添加される肥料の添加量をＡ（mg/L：アンモニア態窒素換算添加量）、前記高ＣＥＣ資材のＣＥＣ値をＢ(meq/100ml)とするとき、前記高ＣＥＣ資材は、培土１リットル（Ｌ）当たりの含有量Ｚ(ml/100ml：容量％)が次式を満たすように配合されていることを特徴とする。
Ｚ＝α・０．７１Ａ／Ｂ  （式中、αは３〜５の自然数を表す）
【発明の効果】
【０００８】
本発明によれば、アンモニア態窒素の添加量に応じて適切な含有量で高ＣＥＣ資材が配合されているので、肥料成分の変化が少なく安定した保肥力を有する培土が得られる。
【発明を実施するための最良の形態】
【０００９】
以下、本発明の培土の好適な実施の形態を説明する。
本発明の培土は、基本的な資材として、ＣＥＣ値が５０meq/100ml以上の高ＣＥＣ資材を含む。このような高ＣＥＣ資材は、天然物、人口資材、合成資材のいずれでもよく、具体的には、ゼオライト、バーミキュライトなどの粘土鉱物、イオン交換樹脂などが用いられる。形態は粉状物、粒状物のいずれでもよい。好適には、粒度０．１５〜３mm程度のものが好ましい。
【００１０】
培土のＣＥＣ値は特に限定されない。本発明の培土は、添加される肥料の内アンモニア態窒素量に対して、必要なＣＥＣ値に応じて高ＣＥＣ資材の配合量が決定されるからである。ただし、５０meq/100ml未満の資材（１種又は２種の配合資材）は、それのみを用いた場合は、培土として所望のＣＥＣ値を達成することができない可能性があるので、５０meq/100ml以上であることが必要である。
【００１１】
高ＣＥＣ資材の配合量Ｚ（ml/100ml：容量％）は、アンモニア態窒素の添加量で換算した肥料添加量をＡ(mg/L)、高ＣＥＣ資材のＣＥＣ値をＢ(meq/100ml)とするとき、
Ｚ＝α・０．７１Ａ／Ｂ  （式中、αは３〜５の自然数を表す）
である。例えば、アンモニア態窒素を４００mg/L添加された培土の必要なＣＥＣは１３meq/100ml程度であり、その場合、５０meq/100gの高ＣＥＣ資材であれば２６ml程度を添加し、培土１００mlとなるように他の資材を配合する。また１００meq/100mlの高ＣＥＣ資材であれば１３mlを添加し、培土１００mlとなるように他の資材を配合する。但し、添加されるアンモニア態窒素量を考慮して、αを調整する。例えば、培土に添加するアンモニア態窒素量が８０mg/Lの場合は、αは５程度とすることが好ましく、アンモニア態窒素量が１２００mg/Lの場合は、αは３程度とすることが好ましい。
【００１２】
上述したように高ＣＥＣ資材の配合量は、高ＣＥＣ資材のＣＥＣ値及びアンモニア態窒素の添加量によって決定されるが、好ましくは２．５〜８０重量％、より好ましくは５〜６０重量％の範囲とする。
肥料としては、尿素、有機質肥料、硫安、リン安、塩安、化成肥料、特殊肥料等公知の肥料を用いることができる。
【００１３】
本発明の培土は、高ＣＥＣ資材以外の資材として、透水性の高い資材を用いることが好ましい。高透水性の資材として、具体的には、ココダスト、ピートモス、樹皮、モミガラ、炭および活性炭等の有機質資材が用いられる。特にピートモスに比べ、ｐHが高く（ピートモスがｐH４以下であるのに対し、ｐH５程度）、ｐＨの調整がしやすい、腐食の速度が遅い、透水性に優れる等の理由からココダストが好適である。ココダストは、ココナッツの繊維を採取した残渣であり、一般に、ココナッツダスト、ココナッツハスクダスト等と呼ばれているものである。
高透水性の資材の配合量は、好ましくは５〜９８容量％、より好ましくは１０〜８０容量％の範囲とする。
【００１４】
高ＣＥＣ資材および高透水性の資材のほかに、パーライト、バーミキュライト、赤土、鹿沼土、砂等の資材を配合してもよい。但し、配合量は９０重量％以下とする。その他、培土の用途に応じて、高ＣＥＣ資材による保肥力を阻害しない範囲で、公知の副資材を添加することも可能である。具体的には、形状を保つことが要求される機械定植用培土では、ゼラチン、寒天、ポリビニルアルコール、アクリル酸系ポリマーなどの吸水性樹脂や高分子凝集剤を添加してもよい。また撥水防止のために、界面活性剤などを添加してもよい。
【００１５】
本発明の培土を製造するには、まず用途に応じて培土に配合する資材の種類（高ＣＥＣ資材、高透水性の資材および副資材）を選択するとともに、肥料の種類、濃度を決め、肥料濃度および高ＣＥＣ資材のＣＥＣに対応する配合量を決定する。高ＣＥＣ資材、高透水性の資材および必要に応じて添加される副資材等を、高ＣＥＣ資材の配合量が決定された値となるように配合し、混合する。
【実施例】
【００１６】
以下、本発明の培土の実施例を説明する。
［実施例１、比較例１］
ゼオライト（ＣＥＣ値１１０meq/100ml）、ココダスト、ピートモス、アンモニア態窒素および必要な肥料を配合し、培土を作製した。この際、培土に添加されるアンモニア態窒素量を３０mg/100mlにして、ゼオライトの配合量（容量％）を０、５、１０、１５、２０、２５に変化させて、6種類の培土を配合した。
上記ゼオライトとアンモニア態窒素量が式Ｚ＝α・０．７１Ａ／Ｂを満たすゼオライト配合量（Ｚ）は６容量％以上、１０容量％以下である。すなわち、6種類の培土のうち、ゼオライト配合量（Ｚ）が１０容量％の培土では、上記式を満たし、それ以外の培土は、満たしていない。
そのうち、ゼオライトの配合量が１０容量％である培土（実施例１）とゼオライトの配合量が２０容量％である培土（比較例１）について、各資材の配合量を表１に示した。
【００１７】
［実施例２、比較例２］
アンモニア態窒素量を７０mg/100mlに変えた以外は実施例１と同様にして、ゼオライトの配合量が異なる６種類の培土を配合した。この場合、ゼオライトのＣＥＣ値（Ｂ）とアンモニア態窒素量（Ａ）とが、式Ｚ＝α・０．７１Ａ／Ｂを満たすゼオライト配合量（Ｚ）は、１４容量％以上、２３容量％以下である。すなわち、ゼオライト配合量（Ｚ）が１５容量％および２０容量％の培土は、上記式を満たしており、ゼオライト配合量（Ｚ）が１０容量％以下、２５容量％の培土は、満たしていない。
そのうち、ゼオライトの配合量が２０容量％である培土（実施例２）とゼオライトの配合量が１０容量％である培土（比較例２）について、各資材の配合量を表１に示した。
【００１８】
【表１】
2008295368.tif 000002
【００１９】
実施例および比較例の各６種類の培土を用いて、キュウリ（品種：シャープ301）の苗を約１ヶ月生育させた後、苗の地上部の重量を測定した。結果を図１に示す。図中、○および●は、アンモニア態窒素量が７０mg/100mlの場合、△および▲は、アンモニア態窒素量が３０mg/100mlの場合を示す。この結果からわかるように、アンモニア態窒素量を考慮して適切な配合量でゼオライトを配合した培土（○および△）では、植物の生育が良好であった。
【図面の簡単な説明】
【００２０】
【図１】実施例の培土を用いたキュウリの生育試験の結果を示す図
【図１】
2008295368.tif 000003